【事件の表示】
　特願２００３−３９８２６５「データファイル記憶装置、データファイル記憶プログラム及びデータファイル記憶方法」拒絶査定不服審判事件〔平成１６年　８月　５日出願公開、特開２００４−２２０５６９〕について、次のとおり審決する。
【結　論】
　本件審判の請求は、成り立たない。
【理　由】
第１　手続の経緯
　
　本願は、平成１５年１１月２８日（優先権主張　平成１４年１２月２５日）の特許出願であって、平成２１年７月１３日付けで拒絶査定され、これに対して同年１０月２０日付けで拒絶査定不服審判の請求がなされるとともに、同日付けで手続補正書が提出されたものである。
　その後、当審において平成２３年１１月１１日付けで拒絶理由通知が通知され、平成２４年２月６日付けで手続補正書（以下、「第１補正」という。）が提出され、当審において同年２月２３日付けで最後の拒絶理由通知が通知され、同年４月１９日付けで手続補正書（以下、「第２補正」という。）が提出されたものである。
　　
　
　
第２　第２補正（平成２４年４月１９日付けの手続補正）についての補正却下の決定
　
[補正却下の決定の結論]
　第２補正（平成２４年４月１９日付けの手続補正）を却下する。
　
[理 由]
１．補正内容
　第２補正は、特許請求の範囲の各請求項を、下記の＜第２補正前の特許請求の範囲＞から＜第２補正後の特許請求の範囲＞に変更するものである。
　
＜第２補正前の特許請求の範囲＞
「【請求項１】
　ファイルフォルダに複数のデータファイルを格納して記憶するデータファイル記憶手段と、
　スケジュールの日時および内容を示すスケジュールデータを記憶するスケジュールデータ記憶手段と、
　現在の日時を計時する計時手段と、
　所定のデータファイルが作成されると、少なくとも前記所定のデータファイルが格納されるファイルフォルダを前記データファイル記憶手段に作成するファイルフォルダ作成手段と、
　
前記ファイルフォルダ作成手段によりファイルフォルダが作成される毎に、異なるカウンタ値を出力するカウンタ値出力手段と、
　データファイルのファイル作成日時を前記計時手段から取得するファイル作成日時取得手段と、
　前記スケジュールデータ記憶手段に記憶されているスケジュールデータのなかから、スケジュールの日時が前記所定のデータファイルのファイル作成日時を含むものを取得するスケジュール取得手段と、
　前記スケジュール取得手段により取得されたスケジュールデータの内容を示す文字列の一部または全部の文字列
、及び前記カウンタ値出力手段により出力されたカウンタ値
　前記データファイル記憶手段は、
　前記スケジュール取得手段により取得されたスケジュールデータの日時内に作成される各データファイルを、当該スケジュールデータ
及び前記カウンタ値
　ことを特徴とするデータファイル記憶装置。
　
【請求項２】
　前記ファイルフォルダに格納されるデータファイルに、当該ファイルフォルダのフォルダ名が含まれているファイル名を設定するファイル名称設定手段を備えたことを特徴とする請求項１に記載のデータファイル記憶装置。
　
【請求項３】
　データファイルを記憶するデータファイル記憶装置を制御するコンピュータに、
　ファイルフォルダに複数のデータファイルを格納して記憶するデータファイル記憶機能と、
　スケジュールの日時および内容を示すスケジュールデータを記憶するスケジュールデータ記憶機能と、
　所定のデータファイルが作成されると、少なくとも前記所定のデータファイルが格納されるファイルフォルダを作成するファイルフォルダ作成機能と、
　
前記ファイルフォルダ作成機能によりファイルフォルダが作成される毎に、異なるカウンタ値を出力するカウンタ値出力機能と、
　データファイルのファイル作成日時を取得するファイル作成日時取得機能と、
　前記スケジュールデータ記憶機能により記憶されているスケジュールデータのなかから、スケジュールの日時が前記所定のデータファイルのファイル作成日時を含むものを取得するスケジュール取得機能と、
　前記スケジュール取得機能により取得されたスケジュールデータの内容を示す文字列の一部または全部の文字列
、及び前記カウンタ値出力機能により出力されたカウンタ値
　前記データファイル記憶機能は、
　前記スケジュール取得機能により取得されたスケジュールデータの日時内に作成される各データファイルを、当該スケジュールデータ
及び前記カウンタ値
　
【請求項４】
　ファイルフォルダに複数のデータファイルを格納して記憶するデータファイル記憶工程と、
　スケジュールの日時および内容を示すスケジュールデータを記憶するスケジュールデータ記憶工程と、
　所定のデータファイルが作成されると、少なくとも前記所定のデータファイルが格納されるファイルフォルダを作成するファイルフォルダ作成工程と、
　
前記ファイルフォルダ作成工程でファイルフォルダが作成される毎に、異なるカウンタ値を出力するカウンタ値出力工程と、
　データファイルのファイル作成日時を取得するファイル作成日時取得工程と、
　前記スケジュールデータ記憶工程で記憶されたスケジュールデータのなかから、スケジュールの日時が前記所定のデータファイルのファイル作成日時を含むものを取得するスケジュール取得工程と、
　前記スケジュール取得工程で取得されたスケジュールデータの内容を示す文字列の一部または全部の文字列
、及び前記カウンタ値出力工程で出力されたカウンタ値
　を含むデータファイル記憶方法であって、
　前記データファイル記憶工程は、
　前記スケジュール取得工程で取得されたスケジュールデータの日時内に作成される各データファイルを、当該スケジュールデータ
及び前記カウンタ値
　
＜第２補正後の特許請求の範囲＞
「【請求項１】
　ファイルフォルダに複数のデータファイルを格納して記憶するデータファイル記憶手段と、
　スケジュールの日時および内容を示すスケジュールデータを記憶するスケジュールデータ記憶手段と、
　現在の日時を計時する計時手段と、
　所定のデータファイルが作成されると、少なくとも前記所定のデータファイルが格納されるファイルフォルダを前記データファイル記憶手段に作成するファイルフォルダ作成手段と、
　前記ファイルフォルダ作成手段によりファイルフォルダが作成される毎に、異なるカウンタ値を出力するカウンタ値出力手段と、
　データファイルのファイル作成日時を前記計時手段から取得するファイル作成日時取得手段と、
　前記スケジュールデータ記憶手段に記憶されているスケジュールデータのなかから、スケジュールの日時が前記所定のデータファイルのファイル作成日時を含むものを取得するスケジュール取得手段と、
　前記スケジュール取得手段により取得されたスケジュールデータの内容を示す文字列の一部または全部の文字列、及び前記カウンタ値出力手段により出力されたカウンタ値を用いて、前記ファイルフォルダ作成手段によって前記データファイル記憶手段に作成されるファイルフォルダのフォルダ名を設定するフォルダ名称設定手段と、を備え、
　前記データファイル記憶手段は、
　前記スケジュール取得手段により取得されたスケジュールデータの日時内に作成される各データファイルを、
当該スケジュールデータ及び前記カウンタ値に基づいて設定されたファイルフォルダに格納する
　
【請求項２】
　前記ファイルフォルダに格納されるデータファイルに、当該ファイルフォルダのフォルダ名が含まれているファイル名を設定するファイル名称設定手段を備えたことを特徴とする請求項１に記載のデータファイル記憶装置。
　
【請求項３】
　データファイルを記憶するデータファイル記憶装置を制御するコンピュータに、
　ファイルフォルダに複数のデータファイルを格納して記憶するデータファイル記憶機能と、
　スケジュールの日時および内容を示すスケジュールデータを記憶するスケジュールデータ記憶機能と、
　所定のデータファイルが作成されると、少なくとも前記所定のデータファイルが格納されるファイルフォルダを作成するファイルフォルダ作成機能と、
　前記ファイルフォルダ作成機能によりファイルフォルダが作成される毎に、異なるカウンタ値を出力するカウンタ値出力機能と、
　データファイルのファイル作成日時を取得するファイル作成日時取得機能と、
　前記スケジュールデータ記憶機能により記憶されているスケジュールデータのなかから、スケジュールの日時が前記所定のデータファイルのファイル作成日時を含むものを取得するスケジュール取得機能と、
　前記スケジュール取得機能により取得されたスケジュールデータの内容を示す文字列の一部または全部の文字列、及び前記カウンタ値出力機能により出力されたカウンタ値を用いて、前記ファイルフォルダ作成機能によって作成されるファイルフォルダのフォルダ名を設定するフォルダ名称設定機能と、を実現させるためのデータファイル記憶プログラムであって、
　前記データファイル記憶機能は、
　前記スケジュール取得機能により取得されたスケジュールデータの日時内に作成される各データファイルを、
当該スケジュールデータ及び前記カウンタ値に基づいて設定されたファイルフォルダに格納する
　
【請求項４】
　ファイルフォルダに複数のデータファイルを格納して記憶するデータファイル記憶工程と、
　スケジュールの日時および内容を示すスケジュールデータを記憶するスケジュールデータ記憶工程と、
　所定のデータファイルが作成されると、少なくとも前記所定のデータファイルが格納されるファイルフォルダを作成するファイルフォルダ作成工程と、
　前記ファイルフォルダ作成工程でファイルフォルダが作成される毎に、異なるカウンタ値を出力するカウンタ値出力工程と、
　データファイルのファイル作成日時を取得するファイル作成日時取得工程と、
　前記スケジュールデータ記憶工程で記憶されたスケジュールデータのなかから、スケジュールの日時が前記所定のデータファイルのファイル作成日時を含むものを取得するスケジュール取得工程と、
　前記スケジュール取得工程で取得されたスケジュールデータの内容を示す文字列の一部または全部の文字列、及び前記カウンタ値出力工程で出力されたカウンタ値を用いて、前記ファイルフォルダ作成工程で作成されるファイルフォルダのフォルダ名を設定するフォルダ名称設定工程と、
　を含むデータファイル記憶方法であって、
　前記データファイル記憶工程は、
　前記スケジュール取得工程で取得されたスケジュールデータの日時内に作成される各データファイルを、
当該スケジュールデータ及び前記カウンタ値に基づいて設定されたファイルフォルダに格納する
　
　　
２．補正の適否
　第２補正後の特許請求の範囲の記載と、第２補正前の特許請求の範囲の記載との対比の限りにおいては、それぞれ独立形式で記載された請求項１、請求項３、請求項４の各請求項では、「当該スケジュールデータ及び前記カウンタ値に基づいてフォルダ名が設定された同一のファイルフォルダに格納する」なる記載を「当該スケジュールデータ及び前記カウンタ値に基づいて設定されたファイルフォルダに格納する」と補正するのみであり、この補正事項については平成１８年法律第５５号改正附則第３条第１項によりなお従前の例によるとされる同法による改正前の特許法第１７条の２第４項第３号の誤記の訂正、または第４号の明りょうでない記載の釈明（拒絶理由通知に係る拒絶の理由に示す事項についてするもの）を目的とするものに該当するといえる。
　
　しかしながら、第２補正後のそれぞれ独立形式で記載された請求項１、請求項３、請求項４の各請求項は、平成２４年２月２３日付けの最後の拒絶理由通知で、「当初明細書等のすべての記載を総合することにより導かれる技術的事項との関係において、新たな技術的事項に該当する」と指摘した技術事項（「ファイルフォルダが作成される毎に、異なるカウンタ値を出力する」という技術的事項（以下、「技術的事項Ａ」という。））を依然として含んでおり、下記（ア）及び（イ）の事情を勘案すると、上記技術的事項は依然として「当初明細書等のすべての記載を総合することにより導かれる技術的事項との関係において、新たな技術的事項に該当する」と判断されるから、第２補正は、当初明細書等に記載した事項の範囲内においてしたものではないというべきである。
　
（ア）第２補正後の請求項１にはカウンタ値を用いてフォルダ名を設定することが記載されており、当該事項は当初明細書等では、段落【００２８】 〜【００４５】に、ステップ２２において、スケジュール用カウンタからスケジュール毎に画像ファイルをカウントするカウンタ値を取得し、ステップ２２の後のステップ２５において、ユーザがフォルダ名を作成することを選択した場合に取得したカウンタ値を用いてフォルダ名を作成することが記載されている。すなわち、スケジュール用カウンタからカウンタ値を取得した段階では、取得したカウンタ値がフォルダ名を作成するために用いるものであるのか、ファイル名を作成するために用いるものであるのかは決まっていない。
　してみると、当初明細書等には、スケジュール用カウンタが、スケジュール毎に画像ファイルをカウントして異なるカウント値を出力することは記載されているが、「ファイルフォルダが作成される度に、異なるカウンタ値を出力する」ことは記載されていない。
　
（イ）上記拒絶理由通知には、「（なお、もし仮に、ステップＳ２５において、常に、『フォルダ名として作成する旨の選択入力』が行われた場合であれば、『フォルダが作成される毎に』いずれかのカウンタ値が異なる値を出力するかもしれないが、その場合、同請求項に記載された『前記スケジュール取得手段により取得されたスケジュールデータの日時内に作成される各データファイルを、当該スケジュールデータ及び前記カウンタ値に基づいてフォルダ名が設定された同一のファイルフォルダに格納する』ことと矛盾するから、やはり、請求人の主張を採用することはできない。）」との記載（以下、「記載Ａ」という。）があり、平成２４年４月１９日付けの意見書によれば、審判請求人は、上記記載Ａを受けて第２補正を行ったものと推察されるが、そのような事情は、上記拒絶理由通知で指摘した事項や上記（ア）に指適した事項から導かれる「技術的事項Ａは当初明細書等のすべての記載を総合することにより導かれる技術的事項との関係において、新たな技術的事項に該当する」との判断（以下、「判断Ａ」という。）を左右するものではない。
　なぜならば、上記記載Ａは、当初明細書等に「ステップＳ２５において、常に、『フォルダ名として作成する旨の選択入力』が行われる」ような発明が記載されていたといい得る可能性や、当初明細書等にそのような発明が記載されていたといい得た場合に上記技術的事項Ａを当初明細書等に記載された事項の範囲内のものと解し得る可能性を考慮しても、上記判断Ａが変わらないことを念のため付記したに過ぎない記載であって、上記拒絶理由通知時に合議体が”当初明細書等に「ステップＳ２５において、常に、『フォルダ名として作成する旨の選択入力』が行われる」ような発明が記載されていたといい得る”と判断していたことを示すものでも、”当初明細書等にそのような発明が記載されていたといい得た場合には上記技術的事項Ａを当初明細書等に記載された事項の範囲内にものと解し得る”と判断していたことを示すものでもないし、上記意見書や第２補正の内容を参酌しても、”当初明細書等に「ステップＳ２５において、常に、『フォルダ名として作成する旨の選択入力』が行われる」ような発明が記載されていたといい得る”根拠や、”当初明細書等にそのような発明が記載されていたといい得た場合に上記技術的事項Ａを当初明細書等に記載された事項の範囲内にものと解し得る”根拠は見当たらないからである。
　
　
３．むすび
　したがって、第２補正は、当初明細書等に開示されていない新規事項を追加する補正であって、平成１４年法律第２４号改正附則第３条第１項によりなお従前の例によるとされる同法による改正前の特許法第１７条の２第３項の規定に違反するので、同法第１５９条第１項において読み替えて準用する同法第５３条第１項の規定により却下すべきものである。
　　
　
　
第３　上記補正却下の決定を前提とした本願についての判断
１．第１補正の内容
　第１補正は、特許請求の範囲を、上記第２　１．補正内容において、＜第２補正前の特許請求の範囲＞に記載したとおりのものに変更する補正事項を含むものである。
　　
２．当審が通知した平成２４年２月２３日付け拒絶理由
　当審において平成２４年２月２３日付けで通知した拒絶理由は、以下のとおりである。
　
「 　　　　　　　　　　＜＜＜　最　後　＞＞＞ 
　
 　　　　　　　　　　　　　　　理　由 
　
　平成２４年２月６日付けでした手続補正は、下記の点で願書に最初に添付した明細書又は図面に記載した事項の範囲内においてしたものでないから、特許法第１７条の２第３項に規定する要件を満たしていない。 
　 
　　　　　　　　　　　　　　　　　記 
　 
　補正後の請求項１に記載された「ファイルフォルダが作成される毎に、異なるカウンタ値を出力するカウンタ値出力手段」という事項（以下、「補正事項」という。）は、願書に最初に添付した明細書又は図面（以下、「当初明細書等」という。）に記載された事項ではないし、当初明細書等に記載された事項から自明な事項でもない。そして、該補正事項は、当初明細書等のすべての記載を総合することにより導かれる技術的事項との関係において、新たな技術的事項に該当する。以下に、その理由を記す。 
　すなわち、当初明細書等の第２８〜３０段落には、「【００２８】 
　制御部４０は、スケジュール記憶領域３２に記憶されたスケジュールデータのなかに、上記ファイル作成日時に合致したスケジュールが存在する場合、当該スケジュール文字データの一部または全部（例えば、“翔ちゃん誕生会”あるいは単に“誕生会”など。以下「スケジュール部分データ」という。）を取得すると共にスケジュール毎に画像ファイルをカウントするためのスケジュール用カウンタ値（例えば、“０００３”のような４桁の自然数とするが、これに限らない。）を取得し、上記スケジュール部分データに基づいてファイル名やフォルダ名を作成したり、あるいは、上記スケジュール用カウンタ値を示す文字データを上記スケジュール部分データに連結させたものに基づいてファイル名やフォルダ名を作成したりする。 
　このようなファイル名としては、例えば、“翔ちゃん誕生会０００３．ｊｐｇ”などがあり、またフォルダ名としては“翔ちゃん誕生会”などである。 
【００２９】 
　スケジュール記憶領域３２に記憶された全スケジュールデータのなかで上記ファイル作成日時に合致したスケジュールがない場合、制御部４０は、このようなスケジュールに合致しない画像ファイルをカウントする連番カウンタ値（例えば、“０００５５”のような５桁の自然数とするが、これに限らない。）を取得し、当該連番カウンタ値を示す文字データに基づいてファイル名および／またはフォルダ名を作成する。 
　このようなファイル名としては、例えば、“０００５５．ｊｐｇ”などであり、フォルダ名としては、例えば、“０００５５”などである。 
【００３０】 
　制御部４０は、上記スケジュール用カウンタに対しスケジュール毎に初期化およびインクリメントなどの管理処理を行うと共に上記連番カウンタに対しても同様の管理処理を行う。特に、制御部４０は、スケジュール用カウンタ値あるいは連番カウンタ値を取得する度に当該各カウンタ値を１だけインクリメントする。」との記載がされているが、上記記載によれば、「スケジュール用カウンタ値」は、「スケジュール毎に画像ファイルをカウント」した値であり、また「連番カウンタ値」は、「スケジュールに合致しない画像ファイルをカウント」した値であって、両カウンタ値は、ともに、「カウンタ値を取得する度に」出力される異なるカウンタ値ではあるものの、「フォルダが作成される毎に」出力される異なるカウンタ値ではない。 
　また、当初明細書等の他の箇所の記載を精査しても、上記補正事項を示唆する記載は見当たらない。 
　なお、同日付け意見書において、請求人は、上記補正事項は、出願時の明細書の第４４段落および図２のステップＳ１４及び図３のステップＳ２１〜２３の記載に基づく旨、主張しているが、第４４段落の記載は「ステップＳ２５において、ファイル名として作成する旨の選択入力が行われた場合（ステップＳ２５；ファイル名）、制御部４０は、当該文字データに当該画像ファイルのファイル形式（例えば、ＪＰＥＧなど。）に応じた拡張子を付して（ステップＳ２６）ファイル名に設定し（例えば、“翔ちゃん誕生会０００３．ｊｐｇ”や“０００５５．ｊｐｇ”。）、フォルダ名として作成する旨の選択入力が行われた場合（ステップＳ２５；フォルダ名）、当該文字データをそのままフォルダ名に設定する（例えば、“翔ちゃん誕生会０００３”や“０００５５”。）。」というものであり、ここでいう「０００３」および「０００５５」は、ともに、「フォルダが作成される毎に」出力される異なるカウンタ値ではない。（なお、もし仮に、ステップＳ２５において、常に、「フォルダ名として作成する旨の選択入力」が行われた場合であれば、「フォルダが作成される毎に」いずれかのカウンタ値が異なる値を出力するかもしれないが、その場合、同請求項に記載された「前記スケジュール取得手段により取得されたスケジュールデータの日時内に作成される各データファイルを、当該スケジュールデータ及び前記カウンタ値に基づいてフォルダ名が設定された同一のファイルフォルダに格納する」ことと矛盾するから、やはり、請求人の主張を採用することはできない。） 
　上記の点については、請求項１の装置をプログラムまたは方法とした請求項３，４に対しても、同様である。 
　 
　したがって、平成２４年２月６日付けでした手続補正は、願書に最初に添付した明細書又は図面に記載した事項の範囲内においてしたものでない。 
　なお、当該補正がなされた明細書又は図面における請求項１乃至４に記載した事項は願書に最初に添付した明細書又は図面に記載した事項の範囲内にないことが明らかであるから、当該発明については新規性、進歩性等の特許要件についての審査を行っていない。」
　
　
３．当審の判断
　第１補正により補正された特許請求の範囲は、前記「第２　２．補正の適否」で検討した第２補正により補正された特許請求の範囲と同じ特定事項を有するものであるから、第１補正も同様の理由により、当初明細書等に記載した事項の範囲内においてしたものではない。
　
　
４．むすび
　以上のとおり、第１補正は、特許法第１７条の２第３項に規定する要件を満たしていないから、本願は、他の拒絶理由について検討するまでもなく、拒絶すべきものである。
　よって、結論のとおり審決する。